(57)【要約】操作手段による操作位置を検出する入力検出部１と、入力検出部１を複数の領域に分割し、複数の領域に対する操作位置の変化に基づいて自装置の動作を制御する制御部２とを有する。
2014002633.tif 000002
【特許請求の範囲】
【請求項１】
操作手段による操作位置を検出する入力検出手段と、
前記入力検出手段を複数の領域に分割し、前記複数の領域に対する操作位置の変化に基づいて自装置の動作を制御する制御手段とを有する処理装置。
【請求項２】
請求項１に記載の処理装置において、
前記入力検出手段に対応して設けられた表示手段を有し、
前記制御手段は、前記複数の領域のうち操作が行われた領域に前記表示手段にて対応する領域の表示状態を変更する処理装置。
【請求項３】
請求項２に記載の処理装置において、
前記制御手段は、前記操作が行われた領域に前記表示手段にて対応する領域の輝度を変更する処理装置。
【請求項４】
請求項２または請求項３に記載の処理装置において、
表示情報を保持する記憶手段を有し、
前記制御手段は、前記操作が行われた領域に前記表示手段にて対応する領域の表示を、前記記憶手段に保持された表示情報によるものに変更する処理装置。
【請求項５】
請求項２乃至４のいずれか１項に記載の処理装置において、
前記入力検出手段に対する押圧力を検出する感圧手段を有し、
前記制御手段は、前記感圧手段における検出結果と、前記操作位置の変化とに基づいて自装置の動作を制御する処理装置。
【請求項６】
請求項５に記載の処理装置において、
前記制御手段は、前記感圧手段にて検出された押圧力の大きさに応じて、前記操作が行われてから自装置の動作を制御するまでの時間を設定する処理装置。
【請求項７】
請求項２乃至６のいずれか１項に記載の処理装置において、
前記制御手段は、自装置がロック状態にて前記複数の領域の全てに対して操作が行われた場合に、前記ロック状態を解除する処理装置。
【請求項８】
請求項７に記載の処理装置において、
前記制御手段は、前記複数の領域のうち操作が行われた領域に前記表示手段にて対応する領域の表示状態を変更していく際、変更した表示状態を所定時間維持する処理装置。
【請求項９】
入力検出手段に対する操作手段による操作位置を検出する入力検出処理と、
前記入力検出手段が分割された複数の領域に対する操作位置の変化に基づいて自装置の動作を制御する制御処理とを有する動作制御方法。
【請求項１０】
コンピュータに、
入力検出手段に対する操作手段による操作位置を検出する入力検出手順と、
前記入力検出手段が分割された複数の領域に対する操作位置の変化に基づいて自装置の動作を制御する制御手順とを実行させるためのプログラム。
【発明の詳細な説明】
【技術分野】
【０００１】
本発明は、操作手段による操作に応じた動作を行う処理装置及びその動作制御方法に関する。
【背景技術】
【０００２】
現在、携帯電話機は、情報交換や情報収集の面から、生活にはなくてはならないツールとなりつつある。携帯電話機は、世の中に登場した当時は、通話機能しか有していないものがほとんどであった。しかし、近年では、一般のパーソナルコンピュータと同様に、電子メールを送信したり、インターネットに接続したりすることができるようになっている。【０００３】
このような携帯電話機の市場では、近年、スマートフォンが急速に普及している。スマートフォンは、キーパッドを有さず、表示画面上に接触を検出するタッチパッドを有し、タッチパッドにて接触を検出すると、その検出した位置と同じ表示画面上の場所の選択や操作が可能となる。このようなタッチパッドを有する情報処理装置は、スマートフォンに限らず、デジタルカメラや携帯ゲーム機等にも採用されており、表示画面上のアプリケーション用アイコンやブラウザのリンク、文字入力用のキーの選択や、表示画面のスクロールや拡大／縮小を直感的に分かりやすく、簡単に操作することができる。【０００４】
このように、タッチパッドを有する処理装置は、表示画面上に設けられたタッチパッドに接触することによってその動作が制御されるため、タッチパッドに対する不用意な接触によって誤動作が生じる可能性がある。そのため、不用意な接触を意図しない操作指示として認識させないように、誤操作を防止する誤操作防止ロックをかけることが一般的である。【０００５】
ロック状態を解除する方法として、例えば、タッチパッドに対する接触とは異なる入力デバイスを用いて、一時的にタッチパッドにおける検出機能を有効化し、所定時間内に所定情報を入力することで、入力された情報の妥当性に基づいてロック解除を行う方法がある（例えば、特許文献１参照）。ところが、ロック状態の解除は、処理装置を操作する度に発生する操作アクションであり、ユーザの利便性を損ねることなく、簡潔であることが好ましい。【０００６】
そこで、ロック状態の解除を簡素化させた方法の一例として、一時的にタッチパッドを有効化させた状態で、所定の指標に対するタッチ等の接触動作によって、ロック状態を解除するものがある。しかしながら、ロック状態の解除を簡素化させるほど、意図しないロック解除動作が起こる可能性もある。【０００７】
また、例えば、あるアイコンを第１の位置から第２の位置に移動させるといった連続的な動作によりロック解除を行う方法もある。ところが、この方法においては、接触及び移動という動作が必要であり、移動の途中で一時的に入力用デバイスがタッチパッドから離れたりすると接触状態が認識されなくなる可能性があり、再度第１の位置から接触及び移動の動作を繰り返すことになってしまう。【０００８】
ここで、タッチパッドを複数の領域に分割し、複数の領域のうち任意の領域に対して接触操作が行われた場合に、その領域に対応する表示を補正する技術が考えられている（例えば、特許文献２参照）。
【先行技術文献】
【特許文献】
【０００９】
【特許文献１】特開２００７−２５７１４０号公報
【特許文献２】特開２００８−２５０８０４号公報
【発明の概要】
【発明が解決しようとする課題】
【００１０】
しかしながら、上述したように、タッチパッドを複数の領域に分割し、複数の領域のうち任意の領域に対して接触操作が行われた場合に、その領域に対応する表示を補正する技術においては、全ての接触操作が行われた後に、接触操作が行われた領域に対応する表示を一度に補正することになるため、ロック状態の解除に適用したとしても、ロック状態を解除するためのタッチパッドに対する連続した操作中に一時的に接触操作が行われなくなった場合、どの時点から接触操作を継続すればよいか認識できず、接触操作をやりなおさなければならないという問題点がある。【００１１】
本発明は、上述したような技術が有する問題点に鑑みてなされたものであって、操作手段による連続した操作中に一時的に操作が行われなくなった場合においても、どの時点から操作を継続すればよいか認識することができる処理装置、動作制御方法及びプログラムを提供することを目的とする。
【課題を解決するための手段】
【００１２】
上記目的を達成するために本発明は、
操作手段による操作位置を検出する入力検出手段と、
前記入力検出手段を複数の領域に分割し、前記複数の領域に対する操作位置の変化に基づいて自装置の動作を制御する制御手段とを有する。【００１３】
また、入力検出手段に対する操作手段による操作位置を検出する入力検出処理と、
前記入力検出手段が分割された複数の領域に対する操作位置の変化に基づいて自装置の動作を制御する制御処理とを有する。【００１４】
また、コンピュータに実行させるためのプログラムであって、
入力検出手段に対する操作手段による操作位置を検出する入力検出手順と、
前記入力検出手段が分割された複数の領域に対する操作位置の変化に基づいて自装置の動作を制御する制御手順とを実行させる。
【発明の効果】
【００１５】
本発明によれば、操作手段による連続した操作中に一時的に操作が行われなくなった場合においても、どの時点から操作を継続すればよいか認識することができる。
【図面の簡単な説明】
【００１６】
【図１】本発明の処理装置の概要を示す図である。
【図２ａ】図１に示した処理装置の実施の一形態となる携帯端末を正面から見た外観図である。
【図２ｂ】図１に示した処理装置の実施の一形態となる携帯端末の機能ブロック図である。
【図３】図２ａ及び図２ｂに示した携帯端末のロック状態が解除される際の動作を説明するためのフローチャートである。
【図４ａ】図２ａ及び図２ｂに示した携帯端末のロック状態が解除されていく様子の一例を示す図である。
【図４ｂ】図２ａ及び図２ｂに示した携帯端末のロック状態が解除されていく様子の一例を示す図である。
【図４ｃ】図２ａ及び図２ｂに示した携帯端末のロック状態が解除されていく様子の一例を示す図である。
【図４ｄ】図２ａ及び図２ｂに示した携帯端末のロック状態が解除されていく様子の一例を示す図である。
【図４ｅ】図２ａ及び図２ｂに示した携帯端末のロック状態が解除されていく様子の一例を示す図である。
【図５ａ】図２ａ及び図２ｂに示した携帯端末のロック状態が解除されていく様子の他の例を示す図である。
【図５ｂ】図２ａ及び図２ｂに示した携帯端末のロック状態が解除されていく様子の他の例を示す図である。
【図５ｃ】図２ａ及び図２ｂに示した携帯端末のロック状態が解除されていく様子の他の例を示す図である。
【図５ｄ】図２ａ及び図２ｂに示した携帯端末のロック状態が解除されていく様子の他の例を示す図である。
【図５ｅ】図２ａ及び図２ｂに示した携帯端末のロック状態が解除されていく様子の他の例を示す図である。
【図６】図１に示した処理装置の他の実施の形態を示す機能ブロック図である。
【図７】図６に示した携帯端末のロック状態が解除されていく様子を示す図である。
【発明を実施するための形態】
【００１７】
以下に、本発明の実施の形態について図面を参照して説明する。
【００１８】
図１は、本発明の処理装置の概要を示す図である。
【００１９】
本発明の処理装置は図１に示すように、入力検出手段となる入力検出部１と、制御手段となる制御部２とから構成されている。
【００２０】
入力検出部１は、操作手段による操作位置を検出する。
【００２１】
制御部２は、入力検出部１を複数の領域に分割し、複数の領域に対する操作位置の変化に基づいて処理装置の動作を制御する。
【００２２】
上記のように構成された処理装置においては、入力検出部１が、入力検出部１に対する操作手段による操作位置を検出すると、制御部２が、入力検出部１が分割された複数の領域に対する操作位置の変化に基づいて処理装置の動作を制御する。
【００２３】
以下に、上記のように構成された処理装置について具体的な例を挙げて説明する。
【００２４】
図２ａは、図１に示した処理装置の実施の一形態となる携帯端末を正面から見た外観図である。図２ｂは、図１に示した処理装置の実施の一形態となる携帯端末の機能ブロック図である。
【００２５】
本形態は図２ａに示すように、筐体２０の前面にタッチパネル３０が設けられて構成されている。タッチパネル３０は、表示ユニット３２上に図１に示した入力検出部１となるタッチパッド３１が重ね合わされて構成されている。なお、タッチパネル３０は、表示ユニット３２上にタッチパッド３１が重ね合わされたものに限らず、タッチパッド３１と表示ユニット３２とが一体化されたオンセル型やインセル型であってもよい。
【００２６】
筐体２０は、例えば、フロントカバーとリアカバーとがその周囲にて嵌合されて構成されている。
【００２７】
タッチパッド３１は、その表面に導電膜（不図示）を有し、この導電膜と操作手段となる指等との間の静電容量の変化によって、指等が接触することによる操作位置を検出する。また、指等が接触した位置を検出するものであれば、上述した静電容量を用いたもの以外にも、２枚の導電膜が指等によって押されて互いに接触した際の抵抗値を検出することでその位置を検出する抵抗膜方式によるものであってもよい。また、指等が接触することによって操作位置を検出するものに限らず、指等が近接することによって操作位置を検出するものであってもよい。
【００２８】
表示ユニット３２は、液晶や有機ＥＬ等から構成され、タッチパネル３０に対する接触による入力操作を行うための表示を行う。また、表示ユニット３２は、タッチパッド３１に対する接触による入力操作に応じて情報をスクロール表示したり、拡大／縮小表示したりする。タッチパッド３１が表示ユニット３２上に重ね合わされていることにより、表示ユニット３２はタッチパッド３１に対応して設けられていることになる。
【００２９】
筐体２０の内部には、図２ｂに示すように、図１に示した制御部２となるコントロールユニット４０と、記憶手段となるメモリ２１とが内蔵されている。コントロールユニット４０は、位置認識部４１と、操作認識部４２と、表示制御部４３と、動作制御部４４とを有している。位置認識部４１は、タッチパット３１にて接触によって検出された操作位置を認識する。操作認識部４２は、位置認識部４１にて認識された位置の軌跡に基づいて、タッチパッド３１に対する接触による入力操作を認識する。表示制御部４３は、操作認識部４２にて認識された入力操作に応じて表示ユニット３２における表示を制御する。この際、表示制御部４３は、メモリ２１に保持された表示情報を表示ユニット３２に表示する。動作制御部４４は、メモリ２１に保持されたプログラムに従って、操作認識部４２にて認識された入力操作に応じてこの携帯端末１０の動作を制御する。なお、コントロールユニット４０には、これらの他に、通信を司る通信部や、音声出力部、音声入力部等が設けられているが、これらは本発明に直接関係しないものであるため、説明は省略する。
【００３０】
以下に、上記のように構成された携帯端末１０においてロック状態が解除される際の動作について説明する。
【００３１】
図３は、図２ａ及び図２ｂに示した携帯端末１０のロック状態が解除される際の動作を説明するためのフローチャートであり、図４ａ〜図４ｅは、図２ａ及び図２ｂに示した携帯端末１０のロック状態が解除されていく様子の一例を示す図である。
【００３２】
図２ａ及び図２ｂに示した携帯端末１０が、接触による操作に応じた動作が行われないロック状態において、ロック状態を解除するためのロック解除用画面をタッチパネル３０に表示させ、タッチパッド３１が指等による接触を検出すると（ステップ１）、タッチパッド３１はその接触による操作位置をコントロールユニット４０に通知する。なお、携帯端末１０のロック状態においては、表示制御部４３の制御によって、図４ａに示すようにタッチパネル３０の全面が暗い暗表示領域５１となっている。暗表示領域５１は、例えば、バックライトの輝度を操作時よりも低くすることにより実現することができる。なお、表示制御部４３は、タッチパッド３１以外の操作ボタン（不図示）が操作された場合にロック解除用画面を所定時間だけ表示ユニット３２に表示させ、ロック解除用画面が表示ユニット３２に表示されている間にロック解除の処理を行うことになる。
【００３３】
コントロールユニット４０では、まず、位置認識部４１が、タッチパッド３１にて検出された操作位置を認識し（ステップ２）、認識した操作位置を操作認識部４２に通知する。
【００３４】
操作認識部４２は、位置認識部４１にて認識された操作位置が、表示状態をロック状態から変更した領域に含まれているかどうかを判断する（ステップ３）。操作認識部４２は、ロック解除についてタッチパッド３１を複数の領域に分割して管理している。例えば、図４ａ〜図４ｅに示すタッチパネル３０において、横方向に４つの領域に分割して管理している。
【００３５】
操作認識部４２は、位置認識部４１にて認識された操作位置が、表示状態をロック状態から変更した領域に含まれていないと判断すると、その領域の表示状態を変更するように表示制御部４３に指示する。
【００３６】
表示制御部４３は、操作認識部４２からの指示を受け付けると、表示ユニット３２を制御し、指示された領域の表示状態を変更する（ステップ４）。表示状態がロック状態から変更された領域は、図４ｂに示すように、ロック状態よりも明るい明表示領域５２となり、これは、操作時の明るさを有するものである。
【００３７】
操作認識部４２は、分割した複数の領域全てについて、表示状態がロック状態から変更されたかどうかを判断し（ステップ５）、全ての領域の表示状態がロック状態から変更されたと判断すると、動作制御部４４にロック状態を解除する解除命令を通知する。
【００３８】
動作制御部４４は、操作認識部４２から解除命令が通知されると、携帯端末１０のロック状態を解除する（ステップ６）。
【００３９】
また、位置認識部４１は、タッチパッド３１にて検出された操作位置を連続的に認識している。そのため、認識した操作位置には、分割した同一の領域に含まれるものも存在する。そこで、操作認識部４２においては、位置認識部４１にて認識された操作位置が、表示状態をロック状態から変更した領域に含まれているかどうかを判断し、認識された操作位置が、表示状態をロック状態から変更した領域に含まれている場合は、ステップ４における処理を行わずにステップ５における処理に移行することになる。
【００４０】
また、分割した複数の領域全てについて、表示状態がロック状態から変更されていない場合は、ステップ１における処理に移行し、図４ｂ〜図４ｄに示すように、指３による操作位置に応じて表示状態がロック状態から変更されていく。そして、図４ｅに示すように全ての領域の表示状態が変更された後、携帯端末１０のロック状態が解除されることになる。なお、ロック状態を解除するために接触を開始する領域は、予め決めておいてもよいし、決めておかなくてもよい。
【００４１】
このように、本形態においては、タッチパネル３０の分割された複数の領域のそれぞれに対して接触による操作を行うことで、携帯端末１０のロック状態が解除されていく。その際、複数の領域に対する操作位置の変化、すなわち、どの領域が接触されたかに基づいて表示状態が変更されるので、未接触領域の確認が可能となり、ロック状態を解除するために指等による連続した操作中に一時的に操作が行われなくなった場合においても、どの時点から操作を継続すればよいか認識することができる。
【００４２】
本形態においては、携帯端末１０のロック状態では、タッチパネル３０の全面が暗い暗表示領域５１となっており、表示状態がロック状態から変更されると、ロック状態よりも明るい明表示領域５２となるものを例に挙げて説明したが、携帯端末１０のロック状態では表示を行わない構成としてもよい。
【００４３】
図５ａ〜図５ｅは、図２ａ及び図２ｂに示した携帯端末１０のロック状態が解除されていく様子の他の例を示す図である。
【００４４】
本例における携帯端末１０のロック状態では、図５ａに示すように、タッチパネル３０の全面が非表示領域６１となっている。非表示領域６１は、例えば、液晶や有機ＥＬ等自体で黒色表示することや、バックライトを消灯することによって実現される。
【００４５】
その後、図５ｂ〜図５ｅに示すように、タッチパネル３０への指３による操作位置に応じて、表示制御部４３の制御によって待ち受け画面が表示された待ち受け表示領域６２に変更していく。この際、表示制御部４３は、メモリ２１に保存された壁紙等の待ち受け画面の表示情報を表示ユニット３２に表示していくことが考えられる。これにより、携帯端末１０のロック状態が解除された後、スムーズに所望の操作を進めることができる。
【００４６】
なお、上述した実施の形態において、複数の領域のうち操作が行われた領域の表示状態を変更していく際、変更した表示状態を所定時間維持する構成としてもよい。例えば、上述したように指３をタッチパネル３０上をスライドさせていくのではなく、複数の領域をフリックしていく場合、誤って１つ飛ばした領域をフリックしてしまう場合がある。その場合にすぐに操作誤りとはせずに、それまでの操作による表示状態を所定時間維持し、正しい領域のフリックを待つことも考えられる。
【００４７】
このような構成とすることにより、ロック状態を解除する操作を誤った場合であっても、ロック解除操作の途上とする、その時点から指定操作を開始でき、やり直す手順を省略することができる。
【００４８】
また、タッチパッド３１の分割は、上述したように横方向に分割するものに限らず、縦方向や縦横方向であってもよい。また、分割される複数の領域の境界線については、表示／非表示のいずれでもよい。また、タッチパッド３１の全ての領域を複数に分割してロック解除を行うために用いるものに限らず、ロック解除を行うために用いない領域を有していてもよい。
【００４９】
（他の実施の形態）
図６は、図１に示した処理装置の他の実施の形態を示す機能ブロック図である。
【００５０】
本形態は図６に示すように、図２ｂに示したものに感圧手段となる感圧部２２が設けられている点が異なるものである。
【００５１】
感圧部２２は、タッチパッド３１に対する押圧力を検出するものである。
【００５２】
コントロールユニット４０は、感圧部２２における検出結果と、位置認識部４１にて認識された操作位置の変化とに基づいて携帯端末１０の動作を制御する。具体的には、操作認識部４２は、ロック解除についてタッチパッド３１を複数の領域に分割して管理することは行わず、感圧部２２にて検出された押圧力を用いてその操作位置における面積を認識し、表示状態が変更された領域を無段階に広げていくものである。
【００５３】
図７は、図６に示した携帯端末のロック状態が解除されていく様子を示す図である。
【００５４】
図７に示すように、指３が接触した領域を始点７３とし、この指３が軌跡７４に従って移動していくと、位置認識部４１が、指３が接触した位置を検出するとともに、感圧部２２がその押圧力を検出する。
【００５５】
そして、位置認識部４１が検出した位置と、感圧部２２が検出した押圧力による面積とに基づいて、操作認識部４２が、指３が接触した領域を明表示領域７２とすることを表示制御部４３に指示する。
【００５６】
表示制御部４３は、操作認識部４２からの指示に従って暗表示領域７１の表示状態を明表示領域７２によるものに変更していく。
【００５７】
このようにして指３がタッチパネル３０の全面をなぞることによって、タッチパネル３０の全面が明表示領域７２になると、動作制御部４４の制御によって携帯端末のロック状態が解除されることになる。
【００５８】
なお、感圧部２２にて検出された押圧力が大きいほど、指３がタッチパネル３０に接触してからその領域の表示状態が変更されるまでの時間を短くすることも考えられる。
【００５９】
また、押圧力ではなく、静電容量の変化を用いることも考えられる。その場合、タッチパッドを静電容量を用いたものとし、静電容量の変化量が所定量を超えている場合に指等が接触していると認識することになるが、その際、静電容量の変化量に応じて、指３がタッチパネル３０に接触してからその領域の表示状態が変更されるまでの時間を設定してもよい。
【００６０】
なお、本発明の構成要素は、上述したブロック図に示されるような機能として分離されるものに限らず、適宜、機能毎に分離した構成としてもよい。
【００６１】
また、本発明においては、処理装置内の処理は上述の専用のハードウェアにより実現されるもの以外に、その機能を実現するためのプログラムを処理装置となるコンピュータにて読取可能な記録媒体に記録し、この記録媒体に記録されたプログラムを処理装置に読み込ませ、実行するものであっても良い。処理装置にて読取可能な記録媒体とは、ＩＣカードやメモリカード、あるいは、フロッピーディスク（登録商標）、光磁気ディスク、ＤＶＤ、ＣＤ等の移設可能な記録媒体の他、処理装置に内蔵されたＨＤＤ等を指す。この記録媒体に記録されたプログラムは、例えば、制御ブロックにて読み込まれ、制御ブロックの制御によって、上述したものと同様の処理が行われる。
【００６２】
また、本発明に用いられる処理装置は、上述したような携帯端末やスマートフォンに限らず、携帯音楽プレーヤーや携帯ゲーム機、タブレットＰＣ（Personal  Computer）やノートＰＣ、ＰＤＡ（Personal  Date  Assistants）、デジタルカメラ、リモコン等であってもよい。
【００６３】
上記の実施の形態の一部または全部は、以下の付記のようにも記載され得るが、以下には、限られない。
【００６４】
（付記１）
操作手段による操作位置を検出する入力検出手段と、
前記入力検出手段を複数の領域に分割し、前記複数の領域に対する操作位置の変化に基づいて自装置の動作を制御する制御手段とを有する処理装置。
【００６５】
（付記２）
付記１に記載の処理装置において、
前記入力検出手段に対応して設けられた表示手段を有し、
前記制御手段は、前記複数の領域のうち操作が行われた領域に前記表示手段にて対応する領域の表示状態を変更する処理装置。
【００６６】
（付記３）
付記２に記載の処理装置において、
前記制御手段は、前記操作が行われた領域に前記表示手段にて対応する領域の輝度を変更する処理装置。
【００６７】
（付記４）
付記２または付記３に記載の処理装置において、
表示情報を保持する記憶手段を有し、
前記制御手段は、前記操作が行われた領域に前記表示手段にて対応する領域の表示を、前記記憶手段に保持された表示情報によるものに変更する処理装置。
【００６８】
（付記５）
付記２乃至４のいずれか１項に記載の処理装置において、
前記入力検出手段に対する押圧力を検出する感圧手段を有し、
前記制御手段は、前記感圧手段における検出結果と、前記操作位置の変化とに基づいて自装置の動作を制御する処理装置。
【００６９】
（付記６）
付記５に記載の処理装置において、
前記制御手段は、前記感圧手段にて検出された押圧力の大きさに応じて、前記操作が行われてから自装置の動作を制御するまでの時間を設定する処理装置。
【００７０】
（付記７）
付記２乃至６のいずれか１項に記載の処理装置において、
前記制御手段は、自装置がロック状態にて前記複数の領域の全てに対して操作が行われた場合に、前記ロック状態を解除する処理装置。
【００７１】
（付記８）
付記７に記載の処理装置において、
前記制御手段は、前記複数の領域のうち操作が行われた領域に前記表示手段にて対応する領域の表示状態を変更していく際、変更した表示状態を所定時間維持する処理装置。
【００７２】
（付記９）
入力検出手段に対する操作手段による操作位置を検出する入力検出処理と、
前記入力検出手段が分割された複数の領域に対する操作位置の変化に基づいて自装置の動作を制御する制御処理とを有する動作制御方法。
【００７３】
（付記１０）
コンピュータに、
入力検出手段に対する操作手段による操作位置を検出する入力検出手順と、
前記入力検出手段が分割された複数の領域に対する操作位置の変化に基づいて自装置の動作を制御する制御手順とを実行させるためのプログラム。
【００７４】
以上、実施例を参照して本願発明を説明したが、本願発明は上記実施例に限定されるものではない。本願発明の構成や詳細には、本願発明のスコープ内で当業者が理解し得る様々な変更をすることができる。
【００７５】
この出願は、２０１２年６月２８日に出願された日本出願特願２０１２−１４５２０８を基礎とする優先権を主張し、その開示の全てをここに取り込む。
【図１】
2014002633.tif 000003
【図２ａ】
2014002633.tif 000004
【図２ｂ】
2014002633.tif 000005
【図３】
2014002633.tif 000006
【図４ａ】
2014002633.tif 000007
【図４ｂ】
2014002633.tif 000008
【図４ｃ】
2014002633.tif 000009
【図４ｄ】
2014002633.tif 000010
【図４ｅ】
2014002633.tif 000011
【図５ａ】
2014002633.tif 000012
【図５ｂ】
2014002633.tif 000013
【図５ｃ】
2014002633.tif 000014
【図５ｄ】
2014002633.tif 000015
【図５ｅ】
2014002633.tif 000016
【図６】
2014002633.tif 000017
【図７】
2014002633.tif 000018
【国際調査報告】
2014002633.tif 000019
2014002633.tif 000020
2014002633.tif 000021
2014002633.tif 000022